(57)【要約】【課題】インサート成形に用いられる金型の強度低下を抑制しつつ、複数の端子がより狭い間隔で配列されたコネクタを提供する。【解決手段】第一支持体２１は、絶縁性を有している。複数の第一端子２２は、導電性を有しており、左右方向に第一間隔Ｗ１で配列されるように第一支持体２１に支持されている。第二支持体２３は、絶縁性を有しており、第一支持体２１と結合されている。複数の第二端子２４は、導電性を有しており、左右方向に第一間隔Ｗ１で配列されるように第二支持体２３に支持されている。複数の第一端子２２の少なくとも先端部２２ａと複数の第二端子２４の少なくとも先端部２４ａは、左右方向から見て重なるように、第一間隔Ｗ１よりも狭い第二間隔Ｗ２で配列されている。【選択図】図３
2019036396.tif 000002
【特許請求の範囲】
【請求項１】
絶縁性を有している第一支持体と、
導電性を有しており、第一方向に第一間隔で配列されるように前記第一支持体に支持されている複数の第一端子と、
絶縁性を有しており、前記第一支持体と結合されている第二支持体と、
導電性を有しており、前記第一方向に前記第一間隔で配列されるように前記第二支持体に支持されている複数の第二端子と、
を備えており、
前記複数の第一端子の少なくとも先端部と前記複数の第二端子の少なくとも先端部は、前記第一方向から見て重なるように配列されている、
コネクタ。
【請求項２】
前記第一支持体は、複数の第一凹部を区画する複数の第一凸部を有しており、
前記複数の第一端子の各々は、前記複数の第一凸部の対応する一つに支持されており、
前記第二支持体は、複数の第二凹部を区画する複数の第二凸部を有しており、
前記複数の第二端子の各々は、前記複数の第二凸部の対応する一つに支持されており、
前記複数の第一凸部の各々が前記複数の第二凹部の対応する一つと嵌合しており、
前記複数の第二凸部の各々が前記複数の第一凹部の対応する一つと嵌合している、
請求項１に記載のコネクタ。
【請求項３】
前記複数の第一端子と前記複数の第二端子の少なくとも一つは、その先端部とその基端部が前記第一方向と直交する第二方向にオフセットしている、
請求項１または２に記載のコネクタ。
【請求項４】
前記複数の第一端子と前記複数の第二端子の各々は、前記第一方向と直交する第二方向から見て直線的な外観を呈している、
請求項１から３のいずれか一項に記載のコネクタ。
【発明の詳細な説明】
【技術分野】
【０００１】
本発明は、コネクタに関する。
【背景技術】
【０００２】
特許文献１は、絶縁性を有する支持体に導電性を有する複数の端子が支持されているコネクタを開示している。
【先行技術文献】
【特許文献】
【０００３】
【特許文献１】特開２０１１−２１０４１７号公報
【発明の概要】
【発明が解決しようとする課題】
【０００４】
接続される信号線の数は増加傾向にある一方で、コネクタの小型化が求められている。結果として、複数の端子の間隔をより狭めることが求められている。
【０００５】
本発明の目的は、複数の端子がより狭い間隔で配列されたコネクタを提供することである。
【課題を解決するための手段】
【０００６】
上記の目的を達成するための一態様は、コネクタであって、
絶縁性を有している第一支持体と、
導電性を有しており、第一方向に第一間隔で配列されるように前記第一支持体に支持されている複数の第一端子と、
絶縁性を有しており、前記第一支持体と結合されている第二支持体と、
導電性を有しており、前記第一方向に前記第一間隔で配列されるように前記第二支持体に支持されている複数の第二端子と、
を備えており、
前記複数の第一端子の少なくとも先端部と前記複数の第二端子の少なくとも先端部は、前記第一方向から見て重なるように配列されている。
【０００７】
このような構成によれば、第一支持体と第二支持体を結合することにより、複数の端子が第一間隔よりも狭い第二間隔で配列されたコネクタが得られる。他方、分離状態にある第一支持体においては、複数の第一端子は、第二間隔よりも広い第一間隔で配列されている。
【０００８】
上記のコネクタは、以下のように構成されうる。
前記第一支持体は、複数の第一凹部を区画する複数の第一凸部を有しており、
前記複数の第一端子の各々は、前記複数の第一凸部の対応する一つに支持されており、
前記第二支持体は、複数の第二凹部を区画する複数の第二凸部を有しており、
前記複数の第二端子の各々は、前記複数の第二凸部の対応する一つに支持されており、
前記複数の第一凸部の各々が前記複数の第二凹部の対応する一つと嵌合しており、
前記複数の第二凸部の各々が前記複数の第一凹部の対応する一つと嵌合している。
【０００９】
このような構成によれば、凹凸嵌合に基づくことにより、第一支持体と第二支持体の結合強度を高めることができる。
【００１０】
上記のコネクタは、以下のように構成されうる。
前記複数の第一端子と前記複数の第二端子の少なくとも一つは、その先端部とその基端部が前記第一方向と直交する第二方向にオフセットしている。
【００１１】
このような構成によれば、第一支持体と第二支持体の少なくとも一部を、凹凸嵌合を必要としない単純な形状にできる。これにより、各支持体の成形容易性が向上する。
【００１２】
上記のコネクタは、以下のように構成されうる。
前記複数の第一端子と前記複数の第二端子の各々は、前記第一方向と直交する第二方向から見て直線的な外観を呈している。
【００１３】
換言すると、第一方向に屈曲する部分や湾曲する部分を有する端子が使用されることなく、より狭い間隔で複数の端子が配列されたコネクタが得られる。このような構成によれば、コネクタの第一方向における大型化を抑制できる。
【発明の効果】
【００１４】
本発明によれば、複数の端子がより狭い間隔で配列されたコネクタを提供できる。
【図面の簡単な説明】
【００１５】
【図１】第一実施形態に係るコネクタの外観を示している。
【図２】図１のコネクタの一部の外観を示している。
【図３】第二実施形態に係るコネクタの外観を示している。
【図４】図３のコネクタの変形例を示している。
【図５】図１と図３のコネクタの変形例を示している。
【発明を実施するための形態】
【００１６】
添付の図面を参照しつつ、実施形態の例について以下詳細に説明する。添付の図面において、矢印Ｆは、図示された構造の前方を表している。矢印Ｂは、図示された構造の後方を表している。矢印Ｌは、図示された構造の左方を表している。矢印Ｒは、図示された構造の右方を表している。矢印Ｕは、図示された構造の上方を表している。矢印Ｄは、図示された構造の下方を表している。これらの方向は、説明の便宜のために定められたものであり、図示された構造の使用時における姿勢を限定することは意図されていない。
【００１７】
図１の（Ａ）は、第一実施形態に係るコネクタ１０の外観を示す上面図である。図１の（Ｂ）は、図１の（Ａ）における矢印IB方向から見たコネクタ１０の外観を示す正面図である。図１の（Ｃ）は、図１の（Ｂ）における矢印IC方向から見たコネクタ１０の外観を示す側面図である。
【００１８】
コネクタ１０は、第一支持体１１、複数の第一端子１２、第二支持体１３、および複数の第二端子１４を備えている。
【００１９】
第一支持体１１は、絶縁性を有している。複数の第一端子１２は、導電性を有している。複数の第一端子１２は、第一支持体１１に支持されている。各第一端子１２は、前後方向に延びている。
【００２０】
第二支持体１３は、絶縁性を有している。複数の第二端子１４は、導電性を有している。複数の第二端子１４は、第二支持体１３に支持されている。各第二端子１４は、前後方向に延びている。
【００２１】
第二支持体１３は、第一支持体１１と結合されている。結合は、接着、溶着、図示しない締結部材による締結などによりなされる。図２の（Ａ）と図２の（Ｂ）は、分離状態にある第一支持体１１の外観をそれぞれ示す正面図と上面図である。図２の（Ｃ）と図２の（Ｄ）は、分離状態にある第二支持体１３の外観をそれぞれ示す正面図と下面図である。
【００２２】
複数の第一端子１２は、第一間隔Ｗ１で左右方向に配列されるように第一支持体１１に支持されている。同様に、複数の第二端子１４は、第一間隔Ｗ１で左右方向に配列されるように第二支持体１３に支持されている。左右方向は、第一方向の一例である。
【００２３】
このように構成された第一支持体１１と第二支持体１３を結合することにより、図１の（Ａ）に示されるように、複数の第一端子１２と複数の第二端子１４は、第一間隔Ｗ１よりも狭い第二間隔Ｗ２で左右方向に交互に配列される。図１の（Ｃ）に示されるように、複数の第一端子１２と複数の第二端子１４は、左右方向から見て重なっている。
【００２４】
このような構成によれば、複数の端子がより狭い第二間隔Ｗ２で配列されたコネクタ１０が得られる。他方、分離状態にある第一支持体１１においては、複数の第一端子１２は、第二間隔Ｗ２よりも広い第一間隔Ｗ１で配列されている。したがって、第一支持体１１をインサート成形する際に複数の第一端子１２を支持する金型の強度低下を抑制できる。当該事実は、複数の第二端子１４を支持する第二支持体１３についても同様である。
【００２５】
図２の（Ａ）と図２の（Ｂ）に示されるように、第一支持体１１は、複数の第一凹部１１ａを区画する複数の第一凸部１１ｂを有している。複数の第一端子１２の各々は、複数の第一凸部１１ｂの対応する一つに支持されている。
【００２６】
図２の（Ｃ）と図２の（Ｄ）に示されるように、第二支持体１３は、複数の第二凹部１３ａを区画する複数の第二凸部１３ｂを有している。複数の第二端子１４の各々は、複数の第二凸部１３ｂの対応する一つに支持されている。
【００２７】
図１の（Ｂ）に示されるように第一支持体１１と第二支持体１３が結合されるとき、複数の第一凸部１１ｂの各々が複数の第二凹部１３ａの対応する一つと嵌合し、複数の第二凸部１３ｂの各々が複数の第一凹部１１ａの対応する一つと嵌合する。
【００２８】
このような構成によれば、凹凸嵌合に基づくことにより、第一支持体１１と第二支持体１３の結合強度を高めることができる。
【００２９】
図１の（Ａ）に示されるように、複数の第一端子１２と複数の第二端子１４の各々は、上下方向から見て直線的な外観を示している。上下方向は、第二方向の一例である。換言すると、各第一端子１２の先端部１２ａと基端部１２ｂは、左右方向にオフセットしていない。同様に、各第二端子１４の先端部１４ａと基端部１４ｂは、左右方向にオフセットしていない。
【００３０】
すなわち、より狭い第二間隔Ｗ２で複数の端子が配列されたコネクタ１０を得るために、左右方向に屈曲する部分や湾曲する部分を有する端子が使用されていない。したがって、コネクタ１０の左右方向における大型化を抑制できる。
【００３１】
図３の（Ａ）は、第二実施形態に係るコネクタ２０の外観を示す上面図である。図３の（Ｂ）は、図３の（Ａ）における矢印IIIB方向から見たコネクタ２０の外観を示す正面図である。図３の（Ｃ）は、図３の（Ｂ）における線IIIC−IIICに沿って矢印方向から見たコネクタ２０の断面を示している。図３の（Ｄ）は、図３の（Ｂ）における線IIID−IIIDに沿って矢印方向から見たコネクタ２０の断面を示している
【００３２】
コネクタ２０は、第一支持体２１、複数の第一端子２２、第二支持体２３、および複数の第二端子２４を備えている。
【００３３】
第一支持体２１は、絶縁性を有している。複数の第一端子２２は、導電性を有している。複数の第一端子２２は、第一支持体２１に支持されている。各第一端子２２は、前後方向に延びている。
【００３４】
第二支持体２３は、絶縁性を有している。複数の第二端子２４は、導電性を有している。複数の第二端子２４は、第二支持体２３に支持されている。各第二端子２４は、前後方向に延びている。第二支持体２３は、第一支持体２１と結合されている。結合は、接着、溶着、図示しない締結部材による締結などによりなされる。
【００３５】
図３の（Ｂ）に示されるように、複数の第一端子２２は、第一間隔Ｗ１で左右方向に配列されるように第一支持体２１に支持されている。左右方向は、第一方向の一例である。図３の（Ｃ）に示されるように、各第一端子２２の先端部２２ａと基端部２２ｂは、上下方向に係る位置が一致している。上下方向は、第二方向の一例である。
【００３６】
図３の（Ｂ）に示されるように、複数の第二端子２４は、第一間隔Ｗ１で左右方向に配列されるように第二支持体２３に支持されている。図３の（Ｄ）に示されるように、各第二端子２４は、屈曲部２４ｃを有している。これにより、各第二端子２４の先端部２４ａと基端部２４ｂは、上下方向にオフセットしている。
【００３７】
このように構成された第一支持体２１と第二支持体２３を結合することにより、図３の（Ａ）に示されるように、複数の第一端子２２と複数の第二端子２４は、第一間隔Ｗ１よりも狭い第二間隔Ｗ２で左右方向に交互に配列される。図３の（Ｃ）に示されるように、複数の第一端子２２の少なくとも先端部２２ａと複数の第二端子１４の少なくとも先端部２４ａは、左右方向から見て重なっている。
【００３８】
このような構成によれば、複数の端子がより狭い第二間隔Ｗ２で配列されたコネクタ２０が得られる。他方、分離状態にある第一支持体２１においては、複数の第一端子２２は、第二間隔Ｗ２よりも広い第一間隔Ｗ１で配列されている。したがって、第一支持体２１をインサート成形する際に複数の第一端子２２を支持する金型の強度低下を抑制できる。当該事実は、複数の第二端子２４を支持する第二支持体２３についても同様である。
【００３９】
また、本実施形態の構成によれば、第一支持体２１と第二支持体２３の少なくとも一部を、凹凸嵌合を必要としない単純な形状にできる。これにより、各支持体の成形容易性が向上する。
【００４０】
図３の（Ａ）に示されるように、複数の第一端子２２と複数の第二端子２４の各々は、上下方向から見て直線的な外観を示している。上下方向は、第二方向の一例である。換言すると、各第一端子２２の先端部２２ａと基端部２２ｂは、左右方向にオフセットしていない。同様に、各第二端子２４の先端部２４ａと基端部２４ｂは、左右方向にオフセットしていない。
【００４１】
すなわち、より狭い第二間隔Ｗ２で複数の端子が配列されたコネクタ２０を得るために、左右方向に屈曲する部分を有する端子が使用されていない。したがって、コネクタ２０の左右方向における大型化を抑制できる。
【００４２】
図４の（Ａ）は、第二実施形態の第一変形例に係るコネクタ２０Ａの外観を示す正面図である。図４の（Ｂ）は、図４の（Ａ）における線IVB−IVBに沿って矢印方向から見たコネクタ２０Ａの断面を示している。図４の（Ｃ）は、図４の（Ａ）における線IVC−IVCに沿って矢印方向から見たコネクタ２０Ａの断面を示している。図４の（Ｄ）は、図４の（Ａ）における線IVD−IVDに沿って矢印方向から見たコネクタ２０Ａの断面を示している。第二実施形態に係るコネクタ２０と実質的に同一の構成や機能を有する要素には同一の参照符号を付与し、繰り返しとなる説明を省略する。
【００４３】
コネクタ２０Ａは、第一支持体２１、複数の第一端子２２、第二支持体２３、複数の第二端子２４、第三支持体２５、および複数の第三端子２６を備えている。
【００４４】
第三支持体２５は、絶縁性を有している。複数の第三端子２６は、導電性を有している。複数の第三端子２６は、第三支持体２５に支持されている。各第三端子２６は、前後方向に延びている。第三支持体２５は、第一支持体２１と結合されている。結合は、接着、溶着、図示しない締結部材による締結などによりなされる。
【００４５】
複数の第三端子２６は、第一間隔Ｗ１で左右方向に配列されるように第三支持体２５に支持されている。左右方向は、第一方向の一例である。図４の（Ｄ）に示されるように、各第三端子２６は、屈曲部２６ｃを有している。これにより、各第三端子２６の先端部２６ａと基端部２６ｂは、上下方向にオフセットしている。
【００４６】
このように構成された第一支持体２１、第二支持体２３、および第三支持体２５を結合することにより、図４の（Ａ）に示されるように、複数の第一端子２２、複数の第二端子２４、および複数の第三端子２６は、第一間隔Ｗ１よりも狭い第二間隔Ｗ２で左右方向にこの順序で配列される。図４の（Ｃ）と図４の（Ｄ）に示されるように、複数の第一端子２２の少なくとも先端部２２ａ、複数の第二端子１４の少なくとも先端部２４ａ、および複数の第三端子２６の少なくとも先端部２６ａは、左右方向から見て重なっている。
【００４７】
幾つかの端子に適当な屈曲部が設けられることにより、結合に供される支持体の数は、四つ以上とされうる。
【００４８】
上記の実施形態は、本発明の理解を容易にするための例示にすぎない。上記の実施形態に係る構成は、本発明の趣旨を逸脱しなければ、適宜に変更・改良されうる。
【００４９】
上記の各例においては、左右方向に隣接している端子同士の間隔が一定である（第二間隔Ｗ２）。しかしながら、当該間隔は、必ずしも一定であることを要しない。
【００５０】
図５の（Ａ）は、第一実施形態の変形例に係るコネクタ１０Ａの外観を示す正面図である。第一実施形態に係るコネクタ１０と実質的に同一の構成や機能を有する要素については同一の参照符号を付与し、繰り返しとなる説明は省略する。
【００５１】
本例においては、隣接する第一端子１２と第二端子１４の間隔は、第二間隔Ｗ２と第三間隔Ｗ３のいずれかである。この場合においても、第一支持体１１に支持されている複数の第一端子１２の間隔、および第二支持体１３に支持されている複数の第二端子１４の間隔は、それぞれ一定の第一間隔Ｗ１である。
【００５２】
図５の（Ｂ）は、第二実施形態の第二変形例に係るコネクタ２０Ｂの外観を示す正面図である。第二実施形態に係るコネクタ２０と実質的に同一の構成や機能を有する要素については同一の参照符号を付与し、繰り返しとなる説明は省略する。
【００５３】
本例においては、隣接する第一端子２２と第二端子２４の間隔は、第二間隔Ｗ２と第三間隔Ｗ３のいずれかである。この場合においても、第一支持体２１に支持されている複数の第一端子２２の間隔、および第二支持体２３に支持されている複数の第二端子２４の間隔は、それぞれ一定の第一間隔Ｗ１である。
【００５４】
図５の（Ｃ）は、第二実施形態の第三変形例に係るコネクタ２０Ｃの外観を示す正面図である。第二実施形態の第一変形例に係るコネクタ２０Ａと実質的に同一の構成や機能を有する要素については同一の参照符号を付与し、繰り返しとなる説明は省略する。
【００５５】
本例においては、隣接する第一端子２２と第二端子２４の間隔、隣接する第二端子２４と第三端子２６の間隔、および隣接する第三端子２６と第一端子２２の間隔は、第二間隔Ｗ２と第三間隔Ｗ３のいずれかである。この場合においても、第一支持体２１に支持されている複数の第一端子２２の間隔、第二支持体２３に支持されている複数の第二端子２４の間隔、および第三支持体２５に支持されている複数の第三端子２６の間隔は、それぞれ一定の第一間隔Ｗ１である。なお、隣接する第一端子２２と第二端子２４の間隔と隣接する第二端子２４と第三端子２６の間隔は、異なっていてもよい。
【００５６】
第二実施形態に係るコネクタ２０においては、第二端子２４がクランク状の屈曲部２４ｃを有することによって、先端部２４ａと基端部２４ｂが上下方向にオフセットしている。しかしながら、滑らかに湾曲する部分を有することによって先端部２４ａと基端部２４ｂが上下方向にオフセットしている構成も採用されうる。
【００５７】
第二実施形態の第一変形例に係るコネクタ２０Ａにおいては、第三端子２６がクランク状の屈曲部２６ｃを有することによって、先端部２６ａと基端部２６ｂが上下方向にオフセットしている。しかしながら、滑らかに湾曲する部分を有することによって先端部２６ａと基端部２６ｂが上下方向にオフセットしている構成も採用されうる。
【００５８】
第一実施形態を参照して説明した凹凸嵌合に基づく結合がなされる部分と、第二実施形態を参照して説明した凹凸嵌合に基づかない結合がなされる部分の双方を含む構成のコネクタも採用されうる。
【符号の説明】
【００５９】
１０、２０、２０Ａ、２０Ｂ、２０Ｃ：コネクタ、１１、２１：第一支持体、１１ａ：複数の第一凹部、１１ｂ：複数の第一凸部、１２、２２：第一端子、１２ａ、２２ａ：先端部、１２ｂ、２２ｂ：基端部、１３、２３：第二支持体、１３ａ：複数の第二凹部、１３ｂ：複数の第二凸部、１４、２４：第二端子、１４ａ、２４ａ：先端部、１４ｂ、２４ｂ：基端部、２５：第三支持体、２６：第三端子、２６ａ：先端部、２６ｂ：基端部
【図１】
2019036396.tif 000003
【図２】
2019036396.tif 000004
【図３】
2019036396.tif 000005
【図４】
2019036396.tif 000006
【図５】
2019036396.tif 000007